(57)【要約】      （修正有）【課題】汚廃水を濾過処理しながらその中に含まれているリサイクル可能なスラリー及び資源をリサイクルするようにスラリーを乾燥処理することができる濾過乾燥装置を提供する。【解決手段】スラリー及び資源リサイクル濾過乾燥装置は側壁面を貫いて回転軸が設置されている処理槽１０と回転軸に繋がれて回転するように構成され他側壁面に排出管１２が繋がれている回転ドラムとドラムの表面の異物を分離するスクレーパと処理槽内部の原水上部に露出した回転ドラムの表面に洗浄水を供給するように多数個の洗浄ノズル６１が設置されているドラム洗浄装置６０と前記処理槽内部の原水を撹拌させるように構成された曝気装置と処理槽から濾過処理された処理水が供給されて内部に処理水が保存され、上部にエア排出管８３及び真空ポンプ８４が繋がれている微細濾過分離装置８０とから構成される。【選択図】図１
2012217989.tif 000002
【特許請求の範囲】
【請求項１】
濾過乾燥装置において、
内部が空洞化した筒形象で形成され、一側に供給ポンプ１１ａが繋がれた供給管１１により原水が内部へ流入されるように構成され、他側に排出ポンプ１２ａが繋がれた排出管１２により処理水が外部へ排出されるように構成され、上部に蓋１３が設置され、内部側壁面に原水の水位を感知する感知センサー１４が設置され、側壁面を貫通して回転軸１５が設置されている処理槽１０と、
外周面に微細な穴が形成され、内部に処理水収容空間２１が形成されており、珪藻土材質で成り、円筒状形象を取り、前記処理槽１０の内部に下側部分が浸かるように設置されており、一側壁面が前記処理槽１０の回転軸１５に繋がれて回転するように構成され、前記排出管１２が他側壁面を貫いて内部の処理水収容空間２１に繋がれている回転ドラム２０と、
前記回転軸１５に繋がれたまま前記処理槽１０の外側に設置されており、前記回転軸１５を回転させるように構成された駆動装置３０と、
一側端は前記処理槽１０の内壁面の感知センサー１４の上部位置に固定され、他側端は回転する前記回転ドラム２０の外周面に接するように構成されて回転ドラム２０の表面の異物を回転ドラム２０から分離するように構成されたスクレーパ４０と、
前記処理槽１０の上部に設置されており、前記処理槽１０内部の原水上部に露出した回転ドラム２０の表面に熱風を供給して回転ドラム２０の表面を乾燥するように構成された熱風乾燥装置５０と、
前記処理槽１０の上部に設置されており、前記処理槽１０内部の原水上部に露出した回転ドラム２０の表面に洗浄水を供給するように多数個の洗浄ノズルが設置されているドラム洗浄装置６０と、
前記処理槽１０の底面に設置されているが、底部に多数個の空気供給ノズル７１が設置されており、外部から空気を受けて前記処理槽１０の底に空気を供給して前記処理槽１０内部の原水を撹拌させるように構成された曝気装置７０と、
一側が前記排出管１２と処理水供給管８１により繋がれて前記処理槽１０から濾過処理された処理水が供給されて内部に処理水が保存され、他側に処理水が排出される処理水排出口８２及び処理水排出ポンプ８２ａが設置されており、上部にエア排出管８３及び真空ポンプ８４が繋がれている微細濾過分離装置８０と、を含んで構成されたことを特徴とするスラリー及び資源リサイクル濾過乾燥装置。
【請求項２】
前記微細濾過分離装置８０は、
下部から上方向へ一定の距離離隔した位置にｐｖｄｆ材質のｐｖｄｆフィルター層８５が形成され、
前記ｐｖｄｆフィルター層８５の上部に珪藻土がコーティングされた網形態の珪藻土コーティングフィルター層８６が形成され、
前記珪藻土コーティングフィルター層８６の上部に活性炭材質で成り立つ活性炭フィルター層８７が形成されていることを特徴とする請求項１に記載のスラリー及び資源リサイクル濾過乾燥装置。
【請求項３】
前記活性炭フィルター層８７の上部にディスクフィルター層８８が形成され、
前記ディスクフィルター層８８の上部に前記前記珪藻土コーティングフィルター層８６に比べて広い間隔で成り立った珪藻土がコーティングされた網形態の補助珪藻土コーティンフィルター層８９が形成されていることを特徴とする請求項２に記載のスラリー及び資源リサイクル濾過乾燥装置。
【請求項４】
前記熱風乾燥装置５０は、
前記処理槽１０の蓋１３の一側壁面を貫いて設置されている送風機５１と、
前記処理槽１０の内部に位置し、前記送風機５１から供給された空気を加熱する加熱装置５３と、
前記加熱装置５３に繋がれているし、前記回転ドラム２０の長さ方向に沿って前記回転ドラム２０の上部に一定距離離隔して多数個が設置されている熱風供給ノズル５２と、で構成されたことを特徴とする請求項１に記載のスラリー及び資源リサイクル濾過乾燥装置。
【請求項５】
前記ドラム洗浄装置６０は、
前記処理槽１０の蓋１３の一側壁面を貫いて設置されており、外部から洗浄水を受け、前記回転ドラム２０の長さ方向に沿って形成され、下部に多数個の洗浄水供給ノズル６１が設置されて構成されたことを特徴とする請求項１に記載のスラリー及び資源リサイクル濾過乾燥装置。
【発明の詳細な説明】
【技術分野】
【０００１】
本発明は汚廃水を濾過処理しながらその中に含まれているリサイクル可能なスラリー及び資源をリサイクルするようにスラリーを乾燥処理することができるスラリー及び資源リサイクル濾過乾燥装置に関するものである。
【背景技術】
【０００２】
産業施設などから排出される各種汚廃水には多量の粒子状物質が含まれていて、そのまま排出される場合、河川を汚染させるようになるので、汚廃水を排出する施設には粒子状物質の除去のための除去装置が用意される。
【０００３】
過去汚廃水から粒子状物質をとり除くための除去装置の大部分は、濾布に汚廃水を投入した後、濾布を圧搾して濾布内に濾過された粒子状物質をとり除く方式である。
【０００４】
このような濾布の圧搾を通じる粒子状物質の除去装置は、濾布内に多量の粒子状物質が濾過された状態で作業者が手作業を通じて濾過された物質を濾布内部から収去しなければならないので、連続作業が不可能という問題点がある。
【０００５】
また、前記のような濾布の圧搾を通じる粒子状物質除去装置は、多量の汚廃水を処理するために多数個の濾布が連続されるように設置されなければならないため、設備規模が大型で大きくなり、製造単価が上昇するので、小規模施設や零細業者はその使用に困るという問題点がある。
【０００６】
最近、このような問題点を解消するためにフィルターを利用した除去装置が提案されている。
【０００７】
しかし、このようなフィルターは濾布と同じのメッシュ構造で成り立っていて、フィルターの表面に粒子状物質が粘着されて時間が経過しながら次第に濾過効率が落ちて濾過フィルターの表面を洗浄するか、または入れ替ってくれなければならない問題点がある。
【０００８】
前記のような従来技術で発生される問題点を解消するために  ”生ごみ処理処置の脱水液高液分離器”（韓国公開特許公報第１０−２０１０−００７４６１３号）及び”真空濾過装置”（韓国登録特許公報第１０−０３２４４０３号）のような技術が公開された事がある。
【０００９】
前記技術は、円筒状のスクリーンドラムの表面に珪藻土液を供給しながら回転させるか、または、セラミックスが焼結成形されたドラムを回転させ、この時、食べ物の残りが濾過されながら濾過処理されるようにする一方、スクリーンドラムの一側に刃を設置してくっついた珪藻土と食べ物残物を分離するようにする。
【００１０】
ところが、前記のような装置は、スクリーンドラムが回転するように設置された水槽上部が開放された状態で形成されていて、スクリーンドラムの回転の中に表面についた食べ物残物が周辺へ飛散するので、周辺環境が著しく汚染する問題点がある。
【００１１】
また、刃によって濾過された異物はいつも濡れた状態であるので、スラッジの後処理のためには別途の乾燥工程を通さなければならないから、リサイクルに相当な設備投資が必要な問題点もある
【先行技術文献】
【特許文献】
【００１２】
【特許文献１】韓国公開特許第１０−２０１０−００７４６１３号公報
【特許文献２】韓国登録特許第１０−０３２４４０３号公報
【発明の概要】
【発明が解決しようとする課題】
【００１３】
したがって本発明の目的は、回転ドラムの一部が漬かった処理槽の上部に蓋を設置することによって、スラッジが設備周辺に落下して周辺を汚染させることを防止する一方、蓋に繋がれて下部の回転ドラム表面に熱風を供給するように熱風乾燥装置を設置することによって、処理槽の水面の上で回転しながらスクレーパに到逹する間の回転ドラム表面が熱風によって加熱乾燥し、この時、表面についたスラッジが一緒に加熱乾燥することによって、回転ドラム表面から容易に離脱するようになり、スラッジを乾燥処理することによって、スラッジのリサイクルのための別途の後乾燥設備なしにスラッジのリサイクル処理が簡便に成り立つスラリー及び資源リサイクル濾過乾燥装置の提供することにある。
【００１４】
本発明の他の目的は、蓋の一側に回転ドラム表面を洗浄するようにドラム洗浄装置を設置してドラム表面の洗浄作業を実施することができるスラリー及び資源リサイクル濾過乾燥装置の提供することにある。
【００１５】
本発明のさらに他の目的は、処理槽の底面に空気供給ノズルが下に向けるように曝気装置を設置することによって、処理槽内部にスラッジがたまる現象を防止して濾過工程が円滑するように成り立つスラリー及び資源リサイクル濾過乾燥装置の提供することにある。
【００１６】
本発明のさらに他の目的は、処理槽をパスしながら一次濾過処理された原水を、微細濾過分離装置を単独あるいは多重に連結設置してこれを通過させることによって、高濃度の廃水を濾過処理することができるスラリー及び資源リサイクル濾過乾燥装置の提供することにある。
【課題を解決するための手段】
【００１７】
本発明によるスラリー及び資源リサイクル濾過乾燥装置は、濾過乾燥装置において、内部が空洞化した筒形象で形成され、一側に供給ポンプが繋がれた供給管により原水が内部へ流入されるように構成され、他側に排出ポンプが繋がれた排出管により処理水が外部へ排出されるように構成され、上部に蓋が設置され、内部側壁面に原水の水位を感知する感知センサーが設置され、側壁面を貫いて回転軸が設置されている処理槽と；外周面に微細な穴が形成され、内部に処理水収容空間が形成されており、珪藻土材質で成り、円筒状形象を取り、前記処理槽の内部に下側部分が浸かるように設置されており、一側壁面が前記処理槽の回転軸に繋がれて回転するように構成され、前記排出管が他側壁面を貫いて内部の処理水収容空間に繋がれている回転ドラムと；前記回転軸に繋がれたまま前記処理槽の外側に設置されており、前記回転軸を回転させるように構成された駆動装置と；一側端は前記処理槽の内壁面の感知センサーの上部位置に固定され、他側端は回転する前記回転ドラムの外周面に接するように構成されて回転ドラムの表面の異物を回転ドラムから分離するように構成されたスクレーパと；前記処理槽の上部に設置されており、前記処理槽内部の原水上部に露出した回転ドラムの表面に熱風を供給して回転ドラムの表面を乾燥するように構成された熱風乾燥装置と；前記処理槽の上部に設置されており、前記処理槽内部の原水上部に露出した回転ドラムの表面に洗浄水を供給するように多数個の洗浄ノズルが設置されているドラム洗浄装置と；前記処理槽の底面に設置されているが、底部に多数個の空気供給ノズルが設置されており、外部から空気を受けて前記処理槽の底に空気を供給して前記処理槽内部の原水を撹拌させるように構成された曝気装置と；一側が前記排出管と処理水供給管により繋がれて前記処理槽から濾過処理された処理水が供給されて内部に処理水が保存され、他側に処理水が排出される処理水排出口及び処理水排出ポンプが設置されており、上部にエア排出管及び真空ポンプが繋がれている微細濾過分離装置と；を含んで構成される。
【００１８】
この時、前記微細濾過分離装置は、下部から上方向へ一定の距離離隔した位置にｐｖｄｆ材質のｐｖｄｆフィルター層が形成され、前記ｐｖｄｆフィルター層の上部に珪藻土がコーティングされた網形態の珪藻土コーティングフィルター層が形成され、前記珪藻土コーティングフィルターの上部に活性炭材質で成り立つ活性炭フィルター層が形成されていることを特徴とする。
【００１９】
また、前記活性炭フィルター層の上部にディスクフィルター層が形成され、前記ディスクフィルター層の上部に前記前記珪藻土コーティングフィルター層に比べて広い間隔で成り立った珪藻土がコーティングされた網形態の補助珪藻土コーティンフィルター層が形成されていることを特徴とする。
【００２０】
また、前記熱風乾燥装置は、前記処理槽の蓋の一側壁面を貫いて設置されている送風機と、前記処理槽の内部に位置し、前記送風機から供給された空気を加熱する加熱装置と、前記加熱装置に繋がれているし、前記回転ドラムの長さ方向に沿って前記回転ドラムの上部に一定の距離離隔して多数個が設置されている熱風供給ノズルと、で構成されたことを特徴とする。
【００２１】
また、前記ドラム洗浄装置は、前記処理槽の蓋の一側壁面を貫いて設置されており、外部から洗浄水を受け、前記回転ドラムの長さ方向に沿って形成され、下部に多数個の洗浄水供給ノズルが設置されて構成されたことを特徴とする。
【発明の効果】
【００２２】
以上説明したように、本発明によれば、回転ドラムの一部が漬かった処理槽の上部に蓋を設置することによって、スラッジが設備周辺に落下して周辺を汚染させることを防止する一方、蓋に繋がれて下部の回転ドラム表面に熱風を供給するように熱風乾燥装置を設置することによって、処理槽の水面の上で回転しながらスクレーパに到逹する間の回転ドラム表面が熱風によって加熱乾燥し、この時、表面についたスラッジが一緒に加熱乾燥することによって、回転ドラム表面から易しく離脱するようになり、スラッジを乾燥処理することによって、スラッジのリサイクルのための別途の後乾燥設備なしにスラッジのリサイクル処理が簡便に成り立つことができる効果がある。
【００２３】
また、蓋の一側に回転ドラム表面を洗浄するようにドラム洗浄装置を設置してドラム表面の洗浄作業を実施することができる効果もある。
【００２４】
また、処理槽の底面に空気供給ノズルが下に向けるように曝気装置を設置することによって、処理槽の内部にスラッジがたまる現象を防止して濾過工程が円滑するように成り立つ効果もある。
【００２５】
同時に、処理槽をパスしながら一次濾過処理された原水を、微細濾過分離装置を単独あるいは多重に連結設置してこれを通過させることによって、高濃度の廃水を濾過処理することができる効果もある。
【図面の簡単な説明】
【００２６】
【図１】本発明のスラリー及び資源リサイクル濾過乾燥装置を示す斜視図である。
【図２】本発明のスラリー及び資源リサイクル濾過乾燥装置の内部構造を示す断面図である。
【図３】本発明のスラリー及び資源リサイクル濾過乾燥装置の作動状態を示す概略的断面図である。
【図４】本発明のスラリー及び資源リサイクル濾過乾燥装置の作動状態を示す概略的断面図である。
【図５】本発明での微細濾過分離装置の構成例を示す概略的断面図である。
【図６】本発明での微細濾過分離装置の構成例を示す概略的断面図である。
【発明を実施するための形態】
【００２７】
以下、本発明のスラリー及び資源リサイクル濾過乾燥装置を添付された例示図面に基づいて詳細に説明する。
【００２８】
本発明のスラリー及び資源リサイクル濾過乾燥装置は、大きく処理槽１０、回転ドラム２０、駆動装置３０、スクレーパ４０、熱風乾燥装置５０、ドラム洗浄装置６０、曝気装置７０及び微細濾過分離装置８０で構成される。
【００２９】
前記処理槽１０は、図示されたように、内部が空洞化した筒形象で形成され、除去対象である粒子状物質が含まれた原水を保存するように構成されている。
【００３０】
同時に、一側には供給ポンプ１１ａが繋がれた供給管１１が繋がれているし、前記供給管１１は、未図示された汚廃水保存槽などへ繋がれて供給ポンプ１１ａのポンピング作業によって外部から原水が流入されるように構成されている。
【００３１】
一方、前記処理槽１０の他側には排出ポンプ１２ａが繋がれた排出管１２が繋がれて内部で濾過処理が終わった処理水が外部へ排出されるように構成されている。
【００３２】
このような処理槽１０は、図示されたように、上部に蓋１３が設置されていて内部空間を開閉させるように構成されている。
【００３３】
このような処理槽１０の内部側壁面には、原水の水位を感知する感知センサー１４が設置されて処理槽１０内部に保存される原水の水位を感知するように構成されている。
【００３４】
一方、処理槽１０の側壁面を貫いて回転軸１５が設置されて後述する回転ドラム２０を回転させるように構成されている。
【００３５】
前記回転ドラム２０は、外周面に微細な穴が形成されており、珪藻土が焼成処理された材質で成り立っている。
【００３６】
このような回転ドラム２０は、円筒状形象を取り、内部に空いた空間である処理水収容空間２１が形成されている。
【００３７】
前記回転ドラム２０は、処理槽１０内部に下側部分が浸かるように設置されており、一側壁面が前記処理槽１０の回転軸１５に繋がれて回転するように構成されている。
【００３８】
この時、前記排出管１２は、前記回転ドラム２０の他側壁面を通じて内部に貫通されて処理水収容空間２１に繋がれていて外周面をパスして濾過処理された処理水が排出管１２を通じて外部へ排出されるように構成されている。
【００３９】
前記駆動装置３０は、上述した回転軸１５に繋がれたまま処理槽１０の外側に設置されており、前記回転軸１５を回転させるように構成されている。
【００４０】
より具体的に、図面に図示されたように、前記処理槽１０の外側壁面に設置されている駆動モーター３１と、前記駆動モーター３１の軸３２と前記回転軸１５とを連結するチェーンまたはベルト３３とで構成されて、前記駆動モーター３１の回転によって動力がチェーンまたはベルト３３を通じて回転軸１５に伝達して回転軸１５が回転しながら回転軸１５と一体に繋がれた回転ドラム２０が回転するように構成することができる。
【００４１】
前記スクレーパ４０は、図示されたように、一側端が前記処理槽１０の内壁面の感知センサー１４の上部位置にブラケット４１によって固定され、他側端は上向き傾くように形成されたまま回転ドラム２０の外周面と接するようにテーパ（ｔａｐｅｒ）された刃が形成されている。
【００４２】
このような構成は、回転する回転ドラム２０表面の異物がスクレーパ４０の端部によって濾過されて回転ドラム２０から分離するようにした構成である。
【００４３】
この時、スクレーパ４０の下部は感知センサー１４の上部に位置したまま処理槽１０の内壁面に固定されていて、スクレーパ４０の上部にはスクレーパ４０によって回転ドラム２０から分離した異物が積載する異物積載空間１００が形成される。
【００４４】
この時、異物積載空間１００が形成された処理槽１０の壁面に配管または排出口を設置して濾過された異物を別途の工程で排出するように構成することもできる。
【００４５】
前記熱風乾燥装置５０は、図示されたように、前記処理槽１０の上部に設置されており、前記処理槽１０内部の原水上部に露出した回転ドラム２０の表面に熱風を供給して、回転ドラム２０の表面を乾燥するように構成されている。
【００４６】
このような構成は、回転方向によって処理槽１０の原水水位の下にある異物が回転ドラム２０にそって回転しながら原水水位の外部に露出した状態で熱風供給ノズル５２が回転ドラム２０の表面に熱風を加えながら回転ドラム２０の表面についた異物を乾燥させてくれる役目をするようになる。
【００４７】
このため熱風乾燥装置５０は、公知の熱風機構成を適用して設置することができる。
【００４８】
その例として、処理槽１０の蓋１３一側壁面を貫いて設置されている送風機５１と；前記処理槽１０の内部に位置し、前記送風機５１から供給された空気を加熱する加熱装置５３と；前記加熱装置５３に繋がれているし、前記回転ドラム２０の長さ方向に沿って前記回転ドラム２０の上部に一定距離離隔して設置されていて、多数個が回転ドラム２０の長さ方向に沿って設置されている熱風供給ノズル５２と；で構成することができる。
【００４９】
このような構成は、公知の熱風機の構成を適用させるが、熱風が排出される熱風供給ノズル５２を回転ドラム２０の長さ方向に沿って設置することを特徴とする。
【００５０】
前記ドラム洗浄装置６０は、図示されたように、前記処理槽１０の上部に設置されており、前記処理槽１０の内部原水上部に露出した回転ドラム２０の表面に洗浄水を供給するように多数個の洗浄ノズルが設置されている。
【００５１】
具体的な構成例として、前記処理槽１０の蓋１３一側壁面を貫いて設置されており、外部から洗浄水を受けて、前記回転ドラム２０の長さ方向に沿って形成されており、下部に多数個の洗浄水供給ノズル６１が設置されている形態で構成されることができる。
【００５２】
このようなドラム洗浄装置６０は、処理槽１０の内部に原水が収容されている間には作動しなかったり処理槽１０の内部に原水をあけた状態でドラム表面を洗浄する時、作動させるのが望ましい。
【００５３】
前記曝気装置７０は、前記処理槽１０の底面に設置されているが、底部に多数個の空気供給ノズル７１が設置されており、外部から空気を受けて処理槽１０の底に空気を供給して処理槽１０の内部の原水を撹拌させるように構成されている。
【００５４】
すなわち、従来の回転ドラム式濾過装置には、水槽内部に沈殿物の発生する場合、この沈殿物を処理しにくい構造となっている。
【００５５】
一方、本発明では底部に向けて空気供給ノズル７１が設置された曝気装置７０を設置することによって、曝気装置７０の空気供給ノズル７１から高圧のエアが供給されることによって、処理槽１０の底部に沈澱された沈殿物が浮び上がったまま回転ドラム２０に埋めて回転しながら濾過処理されて濾過効率が向上する。
【００５６】
本発明の微細濾過分離装置８０は、図示されたように、一側が前記排出管１２と処理水供給管８１によって繋がれて処理槽１０から濾過処理された処理水が供給されて内部に処理水が保存され、他側には処理水が排出される処理水排出口８２及び処理水排出ポンプ８２ａが設置され、上部にエア排出管８３と真空ポンプ８４が繋がれている。
【００５７】
このような微細濾過分離装置８０は、内部が空いた真空いたチャンバで構成することもできる。
【００５８】
しかしながら、望ましい構成例として、図５に図示されたように、下部から上方向へ一定の距離離隔した位置にｐｖｄｆ材質のｐｖｄｆフィルター層８５が形成されており、前記ｐｖｄｆフィルター層８５の上部に珪藻土がコーティングされた網形態の珪藻土コーティングフィルター層８６が形成されており、珪藻土コーティングフィルターの上部に活性炭材質で成り立った活性炭フィルター層８７が形成されている構造で形成することができる。
【００５９】
もう１つの構成例として、前記のように、下部からｐｖｄｆフィルター層８５、珪藻土コーティングフィラー層、活性炭フィルター層８７を形成した後、活性炭フィルター層８７の上部にディスクフィルター層８８が形成され、前記ディスクフィルター層８８の上部に前記珪藻土コーティングフィルター層８６に比べて広い間隔で成り立った珪藻土がコーティングされた網形態の補助珪藻土コーティンフィルター層８９が形成されるように構成することもできる。
【００６０】
前記構成で珪藻土コーティングフィルター層８６及び補助珪藻土コーティンフィルター層８９は、運用方式に従ってその粒度をお互いに異にして精密に濾過が成り立つように構成することができる。
【００６１】
前記ディスクフィルター層８８は、色度及び粒度をとり除くためのことで用途に当たるように設置して使用するのが良い。
【００６２】
また、活性炭フィルター層８７は、濾液の状態によって粒状活性炭または浄水処理用活性炭を装着して設置すれば、活性炭フィルター層８７の粒度は濾液によって、粉末用、水質用、浄水用、イオン樹脂用などで使われる粒度のものを内部に装着して使うことができる。
【００６３】
前記のように、微細濾過分離装置８０の上部には真空ポンプを設置して真空方式で濾液を分離する。
【００６４】
同時に、多数個の微細濾過分離装置８０は、お互いにフィルターを違うように構成し、接して連続形成することによって、より精密な微細濾過工程を通すように構成することもできる。
【００６５】
このような微細濾過分離装置の内壁面には、未図示されたレベルセンサーを設置してセンサーの水位によって処理水排出ポンプ８２ａ及び真空ポンプ８４を駆動させることができる。
【００６６】
同時に、前記のような構成に処理槽１０の外壁または外部にコントロール装置９０を設置し、ポンプらとモーター、センサーらと電気的に連結してセンサーの信号によってそれぞれのポンプ、モーターらを作動させるように構成される。
【００６７】
このようなコントロール装置９０による駆動は、従来のコントロール装置を参考して設計すれば良いので、内部構造に対する説明は略する事にする。
【００６８】
前記のように構成された本発明のスラリー及び資源リサイクル濾過乾燥装置の作動例を説明すれば次のようである。
【００６９】
先に、粒子状物質除去対象である原水が処理槽１０の内部へ流入される。
【００７０】
この時、水位を感知する感知センサー１４によって一定の水位が過ぎなくなる。
【００７１】
処理槽１０の内部へ原水が流入された状態で、駆動装置３０の駆動によって回転ドラム２０が一定した速度で回転するようになり、この時、原水に含まれている異物が回転ドラム２０に埋めたまま回転しながらスクレーパ４０によって取り除くようになる。
【００７２】
この過程で熱風乾燥装置５０の作動によって異物内の含水率が除去されて別途のスラッジや異物の乾燥工程を経る必要がなくなる。
【００７３】
異物の濾過された原水は、回転ドラム２０の微細ホールをパスしながら回転ドラム２０の内部へ流入され、流入された処理水は排出管１２を通じて処理槽１０の外部へ排出されて微細濾過分離装置８０に保存される。
【００７４】
微細濾過分離装置８０に到逹した処理水は、微細濾過分離装置８０に設置されている各種フィルターによって微細異物が分離して異物が精密に分離する。
【産業上の利用可能性】
【００７５】
本発明のスラリー及び資源リサイクル濾過乾燥装置は産廃、廃油、化工薬品、半導体原料の抽出及び分離、Ｗａｆｅｒ分離、シリコーン分離、オイル分離、化学金属分離、アルミナ回収分離、バッテリー原料の抽出分離、スラッジ分離などの用途に使われることができる。
【００７６】
また、浄水処理、脱水、半導体、Ｗａｆｅｒの廃スラッジリサイクルなどの用途で使われることもできる。
【符号の説明】
【００７７】
１０  処理槽
１１  供給管
１１ａ  供給ポンプ
１２  排出管
１２ａ  排出ポンプ
１３  蓋
１４  感知センサー
１５  回転軸
２０  回転ドラム
２１  処理水収容空間
３０  駆動装置
３１  駆動モーター
３２  軸
３３  ベルト
４０  スクレーパ
４１  ブラケット
４２  刃
５０  熱風乾燥装置
５１  送風機
５２  熱風供給ノズル
５３  加熱装置
６０  ドラム洗浄装置
６１  洗浄水供給ノズル
７０  曝気装置
７１  空気供給ノズル
８０  微細濾過分離装置
８１  処理水供給管
８２  処理水排出口
８２ａ  処理水排出ポンプ
８３  エア排出管
８４  真空ポンプ
８５    ｐｖｄｆフィルター層
８６  珪藻土コーティングフィルター層
８７  活性炭フィルター層
８８  ディスクフィルター層
８９  補助珪藻土コーティンフィルター層
９０  コントロール装置
１００  異物積載空間
【図１】
2012217989.tif 000003
【図２】
2012217989.tif 000004
【図３】
2012217989.tif 000005
【図４】
2012217989.tif 000006
【図５】
2012217989.tif 000007
【図６】
2012217989.tif 000008